(57)【要約】【課題】  携帯型電力供給装置の提供。【解決装置】  携帯型電力供給装置は市販の電池を収容するための本体を具えている。電池の電力は電極ユニットの両極を通り回路ユニットに接続され、入力端の入力した電源を調整後に出力端より出力する。プラグ装置が電線で回路ユニットの出力端に接続され、その両極端子は直接携帯型電器用品に差し込まれて電源を提供する。【選択図】        図１
0003103335.tif 000002
【実用新案登録請求の範囲】
【請求項１】
携帯型電力供給装置において、
電池を収容する凹溝装置を具えた本体と、
それぞれが本体の凹溝装置の両端に固定され、両極を具え、凹溝装置内に挿入された電池と接続される一対の電極ユニットと、
該電極ユニットに接続された入力端と出力端、及び入力端の入力した電源を調整後に該出力端に出力する少なくとも一つの電圧変調装置を具えた回路ユニットと、
プラグ装置であって、直接携帯型電器用品に挿入される両極端子を具えると共に、電線で該プラグ装置の端子と上述の回路ユニットの出力端が接続された上記プラグ装置と、
を具えたことを特徴とする、携帯型電力供給装置。
【請求項２】
請求項１記載の携帯型電力供給装置において、前記本体に固定される連結装置を具え、該連結装置により本体が携帯型電器用品と一体に連結可能とされたことを特徴とする、携帯型電力供給装置。
【請求項３】
請求項１記載の携帯型電力供給装置において、前記本体に電源指示ランプを具えたことを特徴とする、携帯型電力供給装置。
【請求項４】
請求項１記載の携帯型電力供給装置において、前記本体の凹溝装置が複数の電池を収容できることを特徴とする、携帯型電力供給装置。
【請求項５】
請求項１記載の携帯型電力供給装置において、前記プラグ装置の両極端子が双極プラグで構成されたことを特徴とする、携帯型電力供給装置。
【請求項６】
請求項５記載の携帯型電力供給装置において、前記双極プラグが同軸双極プラグで構成されたことを特徴とする、携帯型電力供給装置。
【考案の詳細な説明】
【技術分野】
【０００１】
本考案は一種の補助電力供給装置の設計に係り、特に、携帯型電力供給装置に関する。
【背景技術】
【０００２】
携帯型電器用品、例えば携帯電話、ノートブック型パソコン、パームトップコンピュータ、デジタルカメラ、電気カミソリ等はますます普及しており、一般の業務と外出する場合のいずれにも非常に多くの便利さをもたらしている。
【０００３】
周知のとおり、このような携帯型電器用品の最大の不便な点は、バッテリーを使用しなければならないことである。電池の使用時間及びその記憶効果は問題を形成し、例えば使用寿命がますます短くなること等があり、一旦電池切れすると使用者に多くのトラブルをもたらす。例えば携帯電話を使用する人の共通の経験として、外出後に携帯電話の使用途中で電池寿命が短くなることに気づいたり、或いは充電を忘れたり、或いは長時間の使用で電力がなくなったりすると、使用者は対外通信が断絶する問題に直面する。このようなときに特別規格の専属予備バッテリーを購入することもできるが、その価格は高価であり、且つ先ず携帯電話専属の販売店を尋ね、さらにそのバッテリーに長時間の充電を行なってからでなければ使用できず、使用上、非常に不便である。
【０００４】
このような問題は長く解決されておらず、携帯電話或いはその他の携帯型電器用品の使用者が外出後に電池切れに直面する時に、便利に、快速に電源を提供できる対策が求められている。
【考案の開示】
【考案が解決しようとする課題】
【０００５】
本考案の主要な目的は、一種の携帯型電力供給装置を提供することにあり、それは、特別規格の専属予備バッテリーが不要で、市販の一般電池を利用するだけで電力を携帯電話或いはその他の携帯型電器用品に供給できる装置であるものとする。
【０００６】
本考案の別の目的は、一種の携帯型電力供給装置を提供することにあり、それは、連結装置を具えて該連結装置により携帯電話或いはその他の携帯型電器用品と一体に連結可能な装置であるものとする。
【０００７】
本考案のさらに別の目的は、一種の携帯型電力供給装置を提供することにあり、それは、市販の一般電池を利用し、フレキシブルな電線を介してある距離を隔てて携帯電話或いはその他の携帯型電器用品と直接接続でき、これらの電器用品の便利性に影響を与えない装置であるものとする。
【課題を解決するための手段】
【０００８】
請求項１の考案は、携帯型電力供給装置において、
電池を収容する凹溝装置を具えた本体と、
それぞれが本体の凹溝装置の両端に固定され、両極を具え、凹溝装置内に挿入された電池と接続される一対の電極ユニットと、
該電極ユニットに接続された入力端と出力端、及び入力端の入力した電源を調整後に該出力端に出力する少なくとも一つの電圧変調装置を具えた回路ユニットと、
プラグ装置であって、直接携帯型電器用品に挿入される両極端子を具えると共に、電線で該プラグ装置の端子と上述の回路ユニットの出力端が接続された上記プラグ装置と、
を具えたことを特徴とする、携帯型電力供給装置としている。
請求項２の考案は、請求項１記載の携帯型電力供給装置において、前記本体に固定される連結装置を具え、該連結装置により本体が携帯型電器用品と一体に連結可能とされたことを特徴とする、携帯型電力供給装置としている。
請求項３の考案は、請求項１記載の携帯型電力供給装置において、前記本体に電源指示ランプを具えたことを特徴とする、携帯型電力供給装置としている。
請求項４の考案は、請求項１記載の携帯型電力供給装置において、前記本体の凹溝装置が複数の電池を収容できることを特徴とする、携帯型電力供給装置としている。
請求項５の考案は、請求項１記載の携帯型電力供給装置において、前記プラグ装置の両極端子が双極プラグで構成されたことを特徴とする、携帯型電力供給装置としている。
請求項６の考案は、請求項５記載の携帯型電力供給装置において、前記双極プラグが同軸双極プラグで構成されたことを特徴とする、携帯型電力供給装置としている。
【考案の効果】
【０００９】
本考案の携帯型電力供給装置は、市販の電池を本体内に入れた後に、フレキシブル電線を介して携帯電話或いはその他の携帯型電器用品に接続すればよく、特別規格の専属予備バッテリーは不要である。
【００１０】
コンビニエンスストアは各所にあり、且つ２４時間営業であり、コンビニエンスストアで一般電池を買うことができ、このため特定の焦点で専属予備バッテリーを購入するよりも便利であり、時間上の制限もない。使用者がただ本考案の提供する携帯型電力供給装置を携帯するだけで、電池切れの問題がなくなる。
【００１１】
且つ本考案の提供する携帯型電力供給装置は構造が簡単で製造コストが安く、コンビニエンスストアで一般電池と一緒に取り扱うことができる。このため使用者が外出時に本考案の装置の携帯を忘れても、随所にあるコンビニエンスストアで本考案の携帯型電力供給装置と電池を購入することができる。
【考案を実施するための最良の形態】
【００１２】
本考案の携帯型電力供給装置は、本体、一対の電極ユニット、回路ユニット、及びプラグ装置を具えている。
【００１３】
該本体は、電池を収容する凹溝装置を具えている。該電極ユニットは両極を具え、それぞれが本体の凹溝装置の両端に固定されて凹溝装置内に置かれた電池と接続される。回路ユニットは、該電極ユニットに接続された入力端と出力端、及び入力端の入力した電源を調整後に該出力端に出力する少なくとも一つの電圧変調装置を具えている。該プラグ装置は、直接携帯型電器用品に挿入される両極端子を具えると共に、電線で該プラグ装置の端子と上述の回路ユニットの出力端が接続されている。
【００１４】
さらに、好ましい実施例では、更に、前記本体に固定される連結装置を具え、該連結装置により本体が携帯型電器用品と一体に連結可能とされる。好ましくは更に前記本体に設置されて電力残量を表示する電源指示ランプを具えている。且つ前記本体の凹溝装置は好ましくは複数の電池を収容できるものとされ、これらの電池は並列接続、直列接続、或いは並列直列接続複合の状態を選択的に保持する。
【００１５】
前記プラグ装置の両極端子は双極プラグで構成されて、直接携帯電話或いはその他の携帯型電器用品に差し込まれ、そのうち、前記双極プラグは同軸双極プラグで構成される。
【実施例１】
【００１６】
図１及び図２に示されるように、本考案の携帯型電力供給装置は、本体１０、一対の電極ユニット１３と１７、回路ユニット１４、及びプラグ装置１６を具えている。
【００１７】
該本体１０は、電池２０を収容する凹溝装置１１を具えている。該電極ユニット１３と１７は、本体１０の凹溝装置１１の両端に固定されて、凹溝装置１１内に置かれた電池２０と接続される。回路ユニット１４は電極ユニットに接続された入力端と出力端を具えるほか、電圧変調装置１８を具え（図２）、入力端の入力した電源を調整後に該出力端に出力する。該プラグ装置１６は両極端子を具えて直接携帯型電器用品３０に差し込まれて接続され、フレキシブル電線１５がプラグ装置１６の端子と回路ユニット１４の出力端を連結する。
【００１８】
さらに、図３に示されるように、好ましい実施例では本考案の携帯型電力供給装置は更に本体１０に固定された連結装置４０を具え、該連結装置４０により本体１０が携帯型電器用品３０と一体に連結可能とされる。これら連結装置４０は粘着帯、両面テープ或いはその他の連結機能を具えた装置を利用可能である。
【００１９】
好ましくは、図１に示されるように、さらに前記本体１０に設置されて電力残量を表示する電源指示ランプ１２を具えている。且つ前記本体１０の凹溝装置１１は好ましくは複数の電池２０を収容できるものとされ、これらの電池２０は並列接続、直列接続、或いは並列直列接続複合に選択的に設計される。
【００２０】
前記プラグ装置１６の両極端子は双極プラグで構成されて、直接携帯電話或いはその他の携帯型電器用品３０に差し込まれ、そのうち、前記双極プラグは同軸双極プラグで構成される。
【００２１】
図１と図２に示されるように、本体１０の凹溝装置１１に一般に市販の電池２０が挿入された後、電源指示ランプ１２が電力残量を表示する。市販の電池２０の電力は回路ユニット１４の電圧変調装置１８により適当な電圧に調整された後に携帯型電器用品に差し込まれたプラグ装置１６より出力されて携帯型電器用品に供給され、使用に非常に便利である。電圧変調装置１８は変圧器を利用して定圧電流に調整するか、或いは可変電圧器で使用者が必要な電流に調整できるものとされる。更には整流器、ろ波器、及び電圧安定器を通り出力され、これらは実施上に困難のない細部設計であるため説明は省略する。
【００２２】
以上の実施例は本考案の実施範囲を限定するものではなく、本考案に基づきなしうる細部の修飾或いは改変は、いずれも本考案の請求範囲に属するものとする。
【図面の簡単な説明】
【００２３】
【図１】本考案の携帯型電力供給装置の好ましい実施例の平面図である。
【図２】本考案の回路表示図である。
【図３】本考案の実施例の側面図であり、連結装置を利用して携帯型電器用品に接続した状態を示す。
【符号の説明】
【００２４】
１０  本体          １１  凹溝装置          １２  電源指示ランプ
１３、１７  電極ユニット                    １４  回路ユニット
１６  プラグ装置    １５  電線              １８  電圧変調装置
２０  電池          ３０  携帯型電器用品    ４０  連結装置
【図１】
0003103335.tif 000003
【図２】
0003103335.tif 000004
【図３】
0003103335.tif 000005